(57)【特許請求の範囲】
【請求項１】
無線通信システムにおいてＭ２Ｍ（Ｍａｃｈｉｎｅ  ｔｏ  Ｍａｃｈｉｎｅ）機器がネットワーク再進入を行う方法であって、
基地局から、レンジング要請メッセージを伝送するためのアップリンクリソース割当に関する情報を受信することと、
前記受信したアップリンクリソース割当に関する情報に基づいて、前記レンジング要請メッセージを前記基地局に伝送することと、
を具備し、
前記アップリンクリソース割当に関する情報は、ランダムアクセス識別子（ｒａｎｄｏｍ  ａｃｃｅｓｓ  ｉｄｅｎｔｉｆｉｅｒ、ＲＡ−ＩＤ）でマスキングされており、前記ランダムアクセス識別子は、前記アップリンクリソース割当がＭ２Ｍ機器に専用であることを表すインデックスを含む、ネットワーク再進入実行方法。
【請求項２】
前記インデックスは‘０ｂ０１’に設定された、請求項１に記載のネットワーク再進入実行方法。
【請求項３】
前記Ｍ２Ｍ機器専用のレンジングチャネルに関する情報は、ＡＡＩ−ＳＣＤメッセージに含まれて伝送される、請求項１に記載のネットワーク再進入実行方法。
【請求項４】
動的非同期チャネル（ＮＳ−ＲＣＨ）のための、前記ランダムアクセス識別子内のインデックスは、前記アップリンクリソース割当がＭ２Ｍ機器に専用であることを表すために使用された値以外の値に設定される、請求項１に記載のネットワーク再進入実行方法。
【請求項５】
前記アップリンクリソース割当に関する情報は、ＣＤＭＡ  Ａｌｌｏｃａｔｉｏｎ  Ａ−ＭＡＰ  ＩＥである、請求項１に記載のネットワーク再進入実行方法。
【請求項６】
無線通信システムにおいてネットワーク再進入を行う装置であって、
送信器と、
受信器と、
前記受信器を制御して、基地局から、レンジング要請メッセージを伝送するためのアップリンクリソース割当に関する情報を受信し、前記送信器を制御して、前記受信したアップリンクリソース割当に関する情報に基づいて前記レンジング要請メッセージを前記基地局に伝送するプロセッサと、
を備え、
前記アップリンクリソース割当に関する情報は、ランダムアクセス識別子（ｒａｎｄｏｍ  ａｃｃｅｓｓ  ｉｄｅｎｔｉｆｉｅｒ、ＲＡ−ＩＤ）でマスキングされており、前記ランダムアクセス識別子は、前記アップリンクリソース割当がＭ２Ｍ機器に専用であることを表すインデックスを含む、ネットワーク再進入実行装置。
【請求項７】
前記インデックスは‘０ｂ０１’に設定された、請求項６に記載のネットワーク再進入実行装置。
【請求項８】
前記Ｍ２Ｍ機器専用のレンジングチャネルに関する情報は、ＡＡＩ−ＳＣＤメッセージに含まれて伝送される、請求項６に記載のネットワーク再進入実行装置。
【請求項９】
動的非同期チャネル（ＮＳ−ＲＣＨ）のための、前記ランダムアクセス識別子内のインデックスは、前記アップリンクリソース割当がＭ２Ｍ機器に専用であることを表すために使用された値以外の値に設定される、請求項６に記載のネットワーク再進入実行装置。
【請求項１０】
前記アップリンクリソース割当に関する情報は、ＣＤＭＡ  Ａｌｌｏｃａｔｉｏｎ  Ａ−ＭＡＰ  ＩＥである、請求項６に記載のネットワーク再進入実行装置。
【請求項１１】
無線通信システムにおいて基地局がＭ２Ｍ（Ｍａｃｈｉｎｅ  ｔｏ  Ｍａｃｈｉｎｅ）機器のネットワーク再進入を行う方法であって、
前記Ｍ２Ｍ機器に、レンジング要請メッセージを伝送するためのアップリンクリソース割当に関する情報を伝送することと、
前記伝送したアップリンクリソース割当に関する情報に基づいて、前記レンジング要請メッセージを前記Ｍ２Ｍ機器から受信することと、
を具備し、
前記アップリンクリソース割当に関する情報は、ランダムアクセス識別子（ｒａｎｄｏｍ  ａｃｃｅｓｓ  ｉｄｅｎｔｉｆｉｅｒ、ＲＡ−ＩＤ）でマスキングされており、前記ランダムアクセス識別子は、前記アップリンクリソース割当がＭ２Ｍ機器に専用であることを表すインデックスを含む、ネットワーク再進入実行方法。
【請求項１２】
前記インデックスは‘０ｂ０１’に設定された、請求項１１に記載のネットワーク再進入実行方法。
【請求項１３】
前記Ｍ２Ｍ機器専用のレンジングチャネルに関する情報は、ＡＡＩ−ＳＣＤメッセージに含まれて伝送される、請求項１１に記載のネットワーク再進入実行方法。
【請求項１４】
無線通信システムにおいてＭ２Ｍ機器のネットワーク再進入を行う装置であって、
送信器と、
受信器と、
前記送信器を制御して、Ｍ２Ｍ機器にレンジング要請メッセージを伝送するためのアップリンクリソース割当に関する情報を伝送し、前記受信器を制御して、前記伝送したアップリンクリソース割当に関する情報に基づいて、前記レンジング要請メッセージを前記Ｍ２Ｍ機器から受信するプロセッサと、
を備え、
前記アップリンクリソース割当に関する情報は、ランダムアクセス識別子（ｒａｎｄｏｍ  ａｃｃｅｓｓ  ｉｄｅｎｔｉｆｉｅｒ、ＲＡ−ＩＤ）でマスキングされており、前記ランダムアクセス識別子は、前記アップリンクリソース割当がＭ２Ｍ機器に専用であることを表すインデックスを含む、ネットワーク再進入実行装置。
【請求項１５】
前記インデックスは‘０ｂ０１’に設定された、請求項１４に記載のネットワーク再進入実行装置。
【発明の詳細な説明】
【技術分野】
【０００１】
本発明は、無線通信に係り、特に、無線通信システムにおいて機器間（Ｍａｃｈｉｎｅ  ｔｏ  Ｍａｃｈｉｎｅ；以下「Ｍ２Ｍ」という）の通信が適用されるＭ２Ｍ機器によるネットワーク再進入を行う方法及びその装置に関する。
【背景技術】
【０００２】
既存の通信は、基地局を経由してユーザーが使用する端末間（Ｈｕｍａｎ  ｔｏ  Ｈｕｍａｎ；以下、Ｈ２Ｈ）の通信が大部分であったが、通信技術の発達に伴い、機器間（Ｍａｃｈｉｎｅ  ｔｏ  Ｍａｃｈｉｎｅ；以下、Ｍ２Ｍ）の通信が可能になった。機器間の通信、言葉の通り、電子装置と電子装置との通信を意味する。広義には、電子装置間の有線あるいは無線通信や、人間が制御する装置と機械との通信のことを意味する。しかし、最近では、電子装置と電子装置間、すなわち、機器間の無線通信を指すのが一般的である。
【０００３】
Ｍ２Ｍ通信は、その概念が初めて導入された１９９０年代初期には、大体、遠隔調整やテレマティックスの概念として認識されたし、派生する市場自体も非常に限定されていたが、ここ数年高速成長を重ねながら全世界的に注目される市場へと成長してきた。特に、販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、機械及び設備の遠隔モニタリング、建設機械設備上の作動時間測定、及び熱や電気使用量を自動測定する知能検針（Ｓｍａｒｔ  Ｍｅｔｅｒ）などの分野で大きな影響力を発揮してきた。将来のＭ２Ｍ通信は、既存の移動通信、無線超高速インターネット、及びＷｉ−ＦｉやＺｉｇｂｅｅ（登録商標）などの小出力通信ソリューションと連係してより様々な用途に活用されることから、これまでのＢ２Ｂ（Ｂｕｓｉｎｅｓｓ  ｔｏ  Ｂｕｓｉｎｅｓｓ）市場に限らず、Ｂ２Ｃ（Ｂｕｓｉｎｅｓｓ  ｔｏ  Ｃｏｎｓｕｍｅｒ）市場へとその領域が拡大する見込みである。
【０００４】
Ｍ２Ｍ通信時代において、ＳＩＭカードを装着している機械はいずれもデータ送受信が可能となり、遠隔管理及び統制が実現できる。例えば、自動車、トラック、電車、コンテナ、自動販売機、ガスタンクなどを含む数多くの機器や装備にＭ２Ｍ通信技術が利用されるなど、その適用範囲は非常に広範囲である。
【０００５】
Ｍ２Ｍ機器のアプリケーションタイプも継続して増加しており、これに伴い、同一の基地局内に上記のようなＭ２Ｍ機器が数多く存在することになるだろう。このように増加した数多くのＭ２Ｍ機器が遊休状態からネットワーク再進入を試みると、接続衝突及び接続混雑が多く発生し、通信性能が低下する問題につながるだろう。しかしながら、既存の端末（Ｈ２Ｈ機器）と異なる特性を有するＭ２Ｍ機器が遊休状態からネットワーク再進入を行うための手順についてはかつて研究されたことがない。
【発明の概要】
【発明が解決しようとする課題】
【０００６】
本発明では、無線通信システムにおいて既存の端末、すなわち、Ｈ２Ｈ機器のネットワーク再進入手順への影響を最小化しながら、Ｍ２Ｍ機器を效率的に支援できる、ネットワーク再進入手順を行う方法及びそのための装置を提供する。
【０００７】
本発明で達成しようとする技術的課題は、以上に言及した技術的課題に制限されるものではなく、言及していない他の技術的課題は、下の記載から、本発明の属する技術の分野における通常の知識を有する者には明らかになるであろう。
【課題を解決するための手段】
【０００８】
上記の技術的課題を達成するために、本発明の一側面では、無線通信システムにおいてＭ２Ｍ（Ｍａｃｈｉｎｅ  ｔｏ  Ｍａｃｈｉｎｅ）機器がネットワーク再進入を行う方法であって、基地局から、レンジング要請メッセージを伝送するためのアップリンクリソースに関する情報を受信することと、前記受信したアップリンクリソースに関する情報に基づいて、前記レンジング要請メッセージを前記基地局に伝送することと、を具備し、前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行方法を提供する。
【０００９】
一方、上記の技術的課題を達成するために、本発明の他の側面では、無線通信システムにおいてネットワーク再進入を行う装置であって、送信器と、受信器と、前記受信器を制御して、基地局から、レンジング要請メッセージを伝送するためのアップリンクリソースに関する情報を受信し、前記送信器を制御して、前記受信したアップリンクリソースに関する情報に基づいて前記レンジング要請メッセージを前記基地局に伝送するプロセッサと、を備え、前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行装置を提供する。
【００１０】
一方、上記の技術的課題を達成するために、本発明の他の側面では、無線通信システムにおいて基地局がＭ２Ｍ（Ｍａｃｈｉｎｅ  ｔｏ  Ｍａｃｈｉｎｅ）機器のネットワーク再進入を行う方法であって、前記Ｍ２Ｍ機器に、レンジング要請メッセージを伝送するためのアップリンクリソースに関する情報を伝送することと、前記伝送したアップリンクリソースに関する情報に基づいて、前記レンジング要請メッセージを前記Ｍ２Ｍ機器から受信することと、を具備し、前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行方法を提供する。
【００１１】
一方、上記の技術的課題を達成するために、本発明のさらに他の側面では、無線通信システムにおいてＭ２Ｍ機器のネットワーク再進入を行う装置であって、送信器と、受信器と、前記送信器を制御して、Ｍ２Ｍ機器にレンジング要請メッセージを伝送するためのアップリンクリソースに関する情報を伝送し、前記受信器を制御して、前記伝送したアップリンクリソースに関する情報に基づいて、前記レンジング要請メッセージを前記Ｍ２Ｍ機器から受信するプロセッサと、を備え、前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行装置を提供する。
【００１２】
また、アップリンクリソースに関する情報は、ページングメッセージに含まれて伝送されてもよい。
【００１３】
また、Ｍ２Ｍ機器専用のレンジングチャネルに関する情報はＡＡＩ−ＳＣＤメッセージに含まれて伝送されてもよい。
【００１４】
また、アップリンクリソースはＭ２Ｍ機器専用のリソースであってもよい。
【００１５】
また、アップリンクリソースに関する情報はＣＤＭＡ  Ａｌｌｏｃａｔｉｏｎ  Ａ−ＭＡＰ  ＩＥであってもよい。
例えば、本願発明は以下の項目を提供する。
（項目１）
無線通信システムにおいてＭ２Ｍ（Ｍａｃｈｉｎｅ  ｔｏ  Ｍａｃｈｉｎｅ）機器がネットワーク再進入を行う方法であって、
基地局から、レンジング要請メッセージを伝送するためのアップリンクリソースに関する情報を受信することと、
前記受信したアップリンクリソースに関する情報に基づいて、前記レンジング要請メッセージを前記基地局に伝送することと、
を具備し、
前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行方法。
（項目２）
前記アップリンクリソースに関する情報は、ページングメッセージに含まれて伝送される、項目１に記載のネットワーク再進入実行方法。
（項目３）
前記Ｍ２Ｍ機器専用のレンジングチャネルに関する情報は、ＡＡＩ−ＳＣＤメッセージに含まれて伝送される、項目１に記載のネットワーク再進入実行方法。
（項目４）
前記アップリンクリソースは、前記Ｍ２Ｍ機器専用のリソースである、項目１に記載のネットワーク再進入実行方法。
（項目５）
前記アップリンクリソースに関する情報は、ＣＤＭＡ  Ａｌｌｏｃａｔｉｏｎ  Ａ−ＭＡＰ  ＩＥである、項目１に記載のネットワーク再進入実行方法。
（項目６）
無線通信システムにおいてネットワーク再進入を行う装置であって、
送信器と、
受信器と、
前記受信器を制御して、基地局から、レンジング要請メッセージを伝送するためのアップリンクリソースに関する情報を受信し、前記送信器を制御して、前記受信したアップリンクリソースに関する情報に基づいて前記レンジング要請メッセージを前記基地局に伝送するプロセッサと、
を備え、
前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行装置。
（項目７）
前記アップリンクリソースに関する情報は、ページングメッセージに含まれて伝送される、項目６に記載のネットワーク再進入実行装置。
（項目８）
前記Ｍ２Ｍ機器専用のレンジングチャネルに関する情報は、ＡＡＩ−ＳＣＤメッセージに含まれて伝送される、項目６に記載のネットワーク再進入実行装置。
（項目９）
前記アップリンクリソースは、前記Ｍ２Ｍ機器専用のリソースである、項目６に記載のネットワーク再進入実行装置。
（項目１０）
前記アップリンクリソースに関する情報は、ＣＤＭＡ  Ａｌｌｏｃａｔｉｏｎ  Ａ−ＭＡＰ  ＩＥである、項目６に記載のネットワーク再進入実行装置。
（項目１１）
無線通信システムにおいて基地局がＭ２Ｍ（Ｍａｃｈｉｎｅ  ｔｏ  Ｍａｃｈｉｎｅ）機器のネットワーク再進入を行う方法であって、
前記Ｍ２Ｍ機器に、レンジング要請メッセージを伝送するためのアップリンクリソースに関する情報を伝送することと、
前記伝送したアップリンクリソースに関する情報に基づいて、前記レンジング要請メッセージを前記Ｍ２Ｍ機器から受信することと、
を具備し、
前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行方法。
（項目１２）
前記アップリンクリソースに関する情報は、ページングメッセージに含まれて伝送される、項目１１に記載のネットワーク再進入実行方法。
（項目１３）
前記Ｍ２Ｍ機器専用のレンジングチャネルに関する情報は、ＡＡＩ−ＳＣＤメッセージに含まれて伝送される、項目１１に記載のネットワーク再進入実行方法。
（項目１４）
無線通信システムにおいてＭ２Ｍ機器のネットワーク再進入を行う装置であって、
送信器と、
受信器と、
前記送信器を制御して、Ｍ２Ｍ機器にレンジング要請メッセージを伝送するためのアップリンクリソースに関する情報を伝送し、前記受信器を制御して、前記伝送したアップリンクリソースに関する情報に基づいて、前記レンジング要請メッセージを前記Ｍ２Ｍ機器から受信するプロセッサと、
を備え、
前記アップリンクリソースに関する情報は、ランダムアクセス指示子（ｒａｎｄｏｍ  ａｃｃｅｓｓ  ｉｄｅｎｔｉｆｉｅｒ、ＲＡ−ＩＤ）でマスキングされており、前記ランダムアクセス指示子は、Ｍ２Ｍ機器専用のレンジングチャネルを指示するインジケーターを含む、ネットワーク再進入実行装置。
（項目１５）
前記アップリンクリソースに関する情報は、ページングメッセージに含まれて伝送される、項目１４に記載のネットワーク再進入実行装置。
【発明の効果】
【００１６】
本発明の実施例によれば、Ｍ２Ｍ機器は、無線通信システム内で既存の端末（Ｈ２Ｈ機器）への影響を最小化しながら、迅速で效率的にネットワーク再進入を行うことができる。
【００１７】
本発明から得られる効果は、以上に言及した効果に制限されず、言及していない別の効果は、下の記載から、本発明の属する技術の分野における通常の知識を有する者には明らかになるであろう。
【図面の簡単な説明】
【００１８】
【図１】本発明の一実施例に係るＭ２Ｍ機器及び基地局の装置構成を示す図である。
【図２】無線通信システムの一例であるＩＥＥＥ  ８０２．１６ｍシステムにおいて端末を状態を示すダイヤグラムである。
【図３】無線通信システムの一例であるＩＥＥＥ  ８０２．１６ｍシステムにおいて端末が競合ベースのネットワーク再進入を行う手順を示す図である。
【図４】無線通信システムの一例であるＩＥＥＥ  ８０２．１６ｍシステムにおいて端末が非競合ベースのネットワーク再進入を行う手順を示す図である。
【図５】本発明の第１実施例に係るＭ２Ｍ機器が非競合ベースのネットワーク再進入を行う手順を示す図である。
【図６】本発明の第２実施例に係るＭ２Ｍ機器が非競合ベースのネットワーク再進入を行う手順を示す図である。
【発明を実施するための形態】
【００１９】
以下、本発明の好適な実施形態を、添付の図面を参照して詳細に説明する。添付の図面と共に以下に開示される詳細な説明は、本発明の例示的な実施形態を説明するためのもので、本発明が実施され得る唯一の実施形態を示すためのものではない。
【００２０】
以下の詳細な説明は、本発明の完全な理解を提供するために具体的な細部事項を含む。しかし、このような具体的な細部事項なしにも本発明の実施が可能であるということが当業者には理解される。例えば、以下の詳細な説明は、移動通信システムがＩＥＥＥ  ８０２．１６システムである場合を取り上げて具体的に説明するが、ＩＥＥＥ  ８０２．１６システム特有の事項以外は、他の任意の無線通信システム（例えば、ＬＴＥ／ＬＴＥ−Ａ）にも同様の適用が可能である。
【００２１】
場合によって、本発明の概念が曖昧になることを避けるために、公知の構造及び装置が省略されたり、各構造及び装置の核心機能を中心にしたブロック図の形式で図示されたりすることもある。また、本明細書全体を通じて同一の構成要素には同一の図面符号を付して説明する。
【００２２】
なお、以下の説明において、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）などの、移動又は固定型のユーザー端機器を総称し、また、基地局は、Ｎｏｄｅ  Ｂ、ｅＮｏｄｅ  Ｂ、ＢＳ（Ｂａｓｅ  Ｓｔａｔｉｏｎ）、ＡＰ（Ａｃｃｅｓｓ  Ｐｏｉｎｔ）などの、端末と通信するネットワーク端の任意のノードを総称するものとする。
【００２３】
移動通信システムにおいて、端末（Ｕｓｅｒ  Ｅｑｕｉｐｍｅｎｔ）は、基地局からダウンリンクで情報を受信し、基地局にアップリンクで情報を送信することができる。端末が送信又は受信する情報にはデータ及び種々の制御情報があり、端末が送信又は受信する情報の種類・用途に応じて様々な物理チャネルが存在する。
【００２４】
図１は、本発明の一実施例に係るＭ２Ｍ機器及び基地局の装置構成を示す図である。
【００２５】
図１を参照すると、Ｍ２Ｍ機器１００及び基地局１５０はそれぞれ、ＲＦユニット１１０，１６０、プロセッサ１２０，１７０及びメモリー１３０，１８０を備えている。また、各ＲＦユニット１１０，１６０は、送信器１１１，１６１及び受信器１１２，１６２を備えている。
【００２６】
Ｍ２Ｍ機器１００の送信器１１１及び受信器１１２は、基地局１５０及び他のＭ２Ｍ機器と信号を送信及び受信するように構成され、プロセッサ１２０は、送信器１１１及び受信器１１２と機能的に接続して、送信器１１１及び受信器１１２が他の端末と信号を送受信する過程を制御するように構成されるとよい。
【００２７】
また、プロセッサ１２０は、送信する信号について各種処理を行って送信器１１１に伝送し、受信器１１２が受信した信号について処理を行ってもよい。必要によって、プロセッサ１２０は、交換されたメッセージに含まれた情報をメモリー１３０に保存してもよい。このような構造により、Ｍ２Ｍ機器１００は、以下に説明する様々な実施の形態に係る方法を行うことができる。
【００２８】
図１には示していないが、Ｍ２Ｍ機器１００は、その機器アプリケーションタイプによって様々な追加構成を備えてもよい。Ｍ２Ｍ機器１００が知能型計量のためのものであれば、Ｍ２Ｍ機器１００は電力測定などのための追加的な構成を備えるとよく、この電力測定動作は、図１に示したプロセッサ１２０に制御されてもよく、別に構成されたプロセッサ（図示せず）に制御されてもよい。
【００２９】
図１は、Ｍ２Ｍ機器１００と基地局１５０との間に通信が行われる場合を例示しているが、本発明に係るＭ２Ｍ通信方法は、Ｍ２Ｍ機器同士で発生してもよく、それぞれの端末は、図１に示した各端末構成と同一の形態をもって、以下に説明する様々な実施の形態に係る方法を行えばよい。
【００３０】
一方、基地局１５０の送信器１６１及び受信器１６２は、他の基地局、Ｍ２Ｍサーバー、Ｍ２Ｍ機器と信号を送信及び受信するように構成され、プロセッサ１７０は、送信器１６１及び受信器１６２と機能的に接続されて、送信器１６１及び受信器１６２が他の端末と信号を送受信する過程を制御するように構成されるとよい。
【００３１】
また、プロセッサ１７０は、送信する信号について各種処理を行って送信器１６１に伝送し、受信器１６２が受信した信号について処理を行ってもよい。必要によって、プロセッサ１７０は、交換されたメッセージに含まれた情報をメモリー１３０に保存してもよい。このような構造により、基地局１５０は、以下に説明する様々な実施の形態に係る方法を行うことができる。
【００３２】
Ｍ２Ｍ機器１１０及び基地局１５０のプロセッサ１２０，１７０はそれぞれ、Ｍ２Ｍ機器１１０及び基地局１５０における動作を指示（例えば、制御、調整、管理など）する。それぞれのプロセッサ１２０，１７０は、プログラムコード及びデータを保存するメモリー１３０，１８０に接続されるとよい。
【００３３】
メモリー１３０，１８０は、プロセッサ１２０，１７０に接続して、オペレーティングシステム、アプリケーション、及び一般ファイル（ｇｅｎｅｒａｌ  ｆｉｌｅｓ）を保存する。
【００３４】
プロセッサ１２０，１７０は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれてもよい。一方、プロセッサ１２０，１７０は、ハードウェア（ｈａｒｄｗａｒｅ）、ファームウェア（ｆｉｒｍｗａｒｅ）、ソフトウェア、又はそれらの結合により具現されてもよい。ハードウェアを用いて本発明の実施例を具現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１２０，１７０に備えられてもよい。
【００３５】
一方、ファームウェアやソフトウェアを用いて本発明の実施例を具現する場合には、本発明の機能又は動作を実行するモジュール、手順又は関数などを含むようにファームウェアやソフトウェアが構成されるとよく、本発明を実行できるように構成されたファームウェア又はソフトウェアは、プロセッサ１２０，１７０内に設けられてもよく、メモリー１３０，１８０に保存されてプロセッサ１２０，１７０により駆動されてもよい。
【００３６】
上述したＭ２Ｍ方式で通信する機器は、Ｍ２Ｍ機器、Ｍ２Ｍ通信機器、ＭＴＣ（Ｍａｃｈｉｎｅ  Ｔｙｐｅ  Ｃｏｍｍｕｎｉｃａｔｉｏｎ）機器のように様々に呼ばれてもよい。そして、既存の端末は、ＨＴＣ（Ｈｕｍａｎ  Ｔｙｐｅ  Ｃｏｍｍｕｎｉｃａｔｉｏｎ）端末及びＨ２Ｈ（Ｈｕｍａｎ  ｔｏ  Ｈｕｍａｎ）機器と呼ばれてもよい。
【００３７】
Ｍ２Ｍ機器は、それらの機器アプリケーションタイプ（Ｍａｃｈｉｎｅ  Ａｐｐｌｉｃａｔｉｏｎ  Ｔｙｐｅ）が増加するに伴い、一定のネットワークにおいてその数が次第に増加していくだろう。議論されている機器アプリケーションタイプには、（１）保安（ｓｅｃｕｒｉｔｙ）、（２）治安（ｐｕｂｌｉｃ  ｓａｆｅｔｙ）、（３）トラッキング及びトレーシング（ｔｒａｃｋｉｎｇ  ａｎｄ  ｔｒａｃｉｎｇ）、（４）支払い（ｐａｙｍｅｎｔ）、（５）健康管理（ｈｅａｌｔｈｃａｒｅ）、（６）遠隔保守及び制御（ｒｅｍｏｔｅ  ｍａｉｎｔｅｎａｎｃｅ  ａｎｄ  ｃｏｎｔｒｏｌ）、（７）検針（ｍｅｔｅｒｉｎｇ）、（８）消費者装置（ｃｏｎｓｕｍｅｒ  ｄｅｖｉｃｅ）、（９）販売管理システム（ＰＯＳ、Ｐｏｉｎｔ  Ｏｆ  Ｓａｌｅｓ）と保安関連応用市場における物流管理（Ｆｌｅｅｔ  Ｍａｎａｇｅｍｅｎｔ）、（１０）自動販売機（Ｖｅｎｄｉｎｇ  Ｍａｃｈｉｎｅ）の機器間通信、（１１）機械及び設備の遠隔モニタリング、建設機械設備上の作動時間測定及び熱や電気使用量を自動測定する知能検針（Ｓｍａｒｔ  Ｍｅｔｅｒ）、（１２）監視カメラの監視ビデオ（Ｓｕｒｖｅｉｌｌａｎｃｅ  Ｖｉｄｅｏ）通信などがあるが、これらに限定される必要はなく、その他様々な機器アプリケーションタイプが議論されている。このように機器アプリケーションタイプが増加するに伴い、Ｍ２Ｍ機器の数は既存の端末、すなわちＨ２Ｈ機器の数に比べて飛躍的に増加するだろう。
【００３８】
このように、同一の基地局内における数多くのＭ２Ｍ機器は、既存の端末、すなわちＨ２Ｈ機器との接続混雑やＭ２Ｍ機器同士の接続衝突などの問題を招くことがある。そこで、既存の端末（Ｈ２Ｈ機器）への影響を最小化しながら、限られたリソースを、新しく登場した多数のＭ２Ｍ機器にどのようにして效率的に分配するかについて議論する必要がある。
【００３９】
すなわち、無線通信システムにおいて既存の端末、すなわちＨ２Ｈ機器に適用される遊休モード（ｉｄｌｅ  ｍｏｄｅ）でネットワーク再進入手順を多数のＭ２Ｍ機器にそのまま適用すると、Ｍ２Ｍ機器の特性の上、既存のＨ２Ｈ機器との接続及びＭ２Ｍ機器同士の接続に混雑を招くことがあるため、ネットワーク再進入手順について一部修正する必要がある。
【００４０】
図２は、無線通信システムの一例であるＩＥＥＥ  ８０２．１６ｍシステムにおいて端末の状態を示すダイヤグラムである。
【００４１】
図２を参照すると、端末の状態は、接続された（ｃｏｎｎｅｃｔｅｄ）状態と非−接続された（ｕｎｃｏｎｎｅｃｔｅｄ）状態とに大別可能である。さらに、接続された状態は、一般モード（ｎｏｒｍａｌ  ｍｏｄｅ）とスリープモード（ｓｌｅｅｐ  ｍｏｄｅ）とに区別可能である。また、非−接続された状態は、遊休モード（ｉｄｌｅ  ｍｏｄｅ）とＤＣＲ（Ｄｅｒｅｇｉｓｔｒａｔｉｏｎ  ｗｉｔｈ  Ｃｏｎｔｅｘｔ  Ｒｅｔｅｎｔｉｏｎ）モードとに区別可能である。ここで、スリープモードと遊休モードはいずれも端末の消費電力を效率的に使用するために定義される。
【００４２】
まず、スリープモードは、端末の電力節約（Ｐｏｗｅｒ  ｓａｖｉｎｇ）のために、端末と基地局間にＡＡＩ−ＳＬＰ−ＲＥＱ／ＡＡＩ−ＳＬＰ−ＲＳＰメッセージの送受信により基地局が承認したスリープウィンドウ（ｓｌｅｅｐ−ｗｉｎｄｏｗ）及びリスニングウィンドウ（ｌｉｓｔｅｎｉｎｇ−ｗｉｎｄｏｗ）で構成されたスリープモードパターン（ｐａｔｔｅｒｎ）を運用するモードである。遊休モードは、端末の電力節約及び無線リソース節約のために、端末と基地局間にＡＡＩ−ＤＲＥＧ−ＲＥＱ／ＡＡＩ−ＤＲＥＧ−ＣＭＤメッセージ送受信により基地局が承認したページンググループ（Ｐａｇｉｎｇ  Ｇｒｏｕｐ）、ページングサイクル（Ｐａｇｉｎｇ  Ｃｙｃｌｅ）及びページングオフセット（Ｐａｇｉｎｇ  Ｏｆｆｓｅｔ）を運用するモードである。
【００４３】
一般モード（Ｎｏｒｍａｌ  ｍｏｄｅ）は、端末が無線リソースを用いて該当のシステムが提供するサービスを行うモードである。ＤＣＲモードは、端末がネットワークから登録解除されるが、所定時間の間にそのコンテクスト（ｃｏｎｔｅｘｔ）は保存されるモードである。
【００４４】
スリープモードの基本動作の詳細は、次の通りである。一般モードにおいて一定時間の間にアップリンク又はダウンリンクのトラフィックが発生しないと、端末は基地局にスリープモードへの遷移を要請するためにＡＡＩ−ＳＬＰ−ＲＥＱメッセージを伝送する。ＡＡＩ−ＳＬＰ−ＲＥＱメッセージを通じてスリープモードへの動作要請を受信すると、基地局は、ＡＡＩ−ＳＬＰ−ＲＳＰメッセージを通じて要請に対する最終承認をし、端末はＡＡＩ−ＳＬＰ−ＲＳＰメッセージ受信により、スリープモードで動作する端末を区別するためのＩＤ（ＳＬＰＩＤ）の割り当てを受けた後、スリープモードを運用する。
【００４５】
ここで、端末と基地局間のメッセージ送受信により得られる主要パラメータは、最初スリープウィンドウ区間の大きさを指定するｉｎｉｔｉａｌ  ｓｌｅｅｐ−ｗｉｎｄｏｗ、最後のスリープウィンドウ区間の大きさを指定するｆｉｎａｌ  ｓｌｅｅｐ−ｗｉｎｄｏｗ  ｂａｓｅ、ｆｉｎａｌ  ｓｌｅｅｐ−ｗｉｎｄｏｗ  ｅｘｐｏｎｅｎｔ、及びリスニングウィンドウ区間の大きさを設定するｌｉｓｔｅｎｉｎｇ−ｗｉｎｄｏｗであり、パラメータの単位はいずれもフレームである。スリープウィンドウは、スリープモードで動作する端末が自身の電力を最小化する区間であり、端末はスリープウィンドウ区間ではダウンリンク制御情報及びダウンリンクトラフィックを受信しない。また、リスニングウィンドウは、スリープモードで動作する端末がスリープウィンドウを脱して、基地局が伝送するＡＡＩ−ＴＲＦ−ＩＮＤメッセージを受信し、自身に伝送されるダウンリンクトラフィックの有無を判断する区間であり、端末はスリープウィンドウ区間でダウンリンク制御情報及びダウンリンクトラフィックを受信することができる。
【００４６】
遊休モードの基本動作の詳細は、次の通りである。一般モードにおいて一定時間の間にアップリンク又はダウンリンクのトラフィックが発生しないと、端末は基地局に遊休モードへの遷移を要請するためにＡＡＩ−ＤＲＥＧ−ＲＥＱメッセージを伝送した後、基地局からＡＡＩ−ＤＲＥＧ−ＣＭＤメッセージを受信して遊休モードを運用する。ＡＡＩ−ＤＲＥＧ−ＲＥＱメッセージには、端末が要請したページングサイクルが定義されており、ＡＡＩ−ＤＲＥＧ−ＲＥＱメッセージを受信した基地局が端末に伝送するＤＲＥＧ−ＣＭＤメッセージには、ページンググループＩＤ、ページングオフセット及びページングサイクルが定義されている。端末は、パラメータに基づいてページング不可区間（Ｐａｇｉｎｇ  Ｕｎａｖａｉｌａｂｌｅ  Ｉｎｔｅｒｖａｌ）及びページングリスニング区間（Ｐａｇｉｎｇ  Ｌｉｓｔｅｎｉｎｇ  Ｉｎｔｅｒｖａｌ）を設定する。
【００４７】
端末は、ページング不可区間で電源を最小化し、ページングリスニング区間で基地局から伝送されるＡＡＩ−ＰＡＧ−ＡＤＶメッセージを受信する。ＡＡＩ−ＰＡＧ−ＡＤＶメッセージは、メッセージを伝送する基地局が属しているページンググループＩＤ及び遊休モードで動作する端末のうち、位置更新（Ｌｏｃａｔｉｏｎ  Ｕｐｄａｔｅ）又はネットワーク進入／再進入を必要とする端末を指示するＭＡＣアドレスハッシュ（Ｈａｓｈ）情報、及び端末別に行うべき手順について記述したアクションコード（Ａｃｔｉｏｎ  ｃｏｄｅ）で構成される。
【００４８】
仮に、遊休モードで動作する端末へのトラフィックが発生すると、基地局は次のページングリスニング区間にＡＡＩ−ＰＡＧ−ＡＤＶメッセージを端末に伝送し、ＡＡＩ−ＰＡＧ−ＡＤＶメッセージを受信した端末は、遊休モードから脱して一般モードに進入する。
【００４９】
一方、遊休モードでネットワーク再進入及びネットワーク進入などの手順を行う時、端末が基地局とのアップリンク通信のための伝送パラメータ（周波数オフセット、時間オフセット及び伝送電力）を調整する過程をレンジングという。
【００５０】
レンジングには、初期レンジング（ｉｎｉｔｉａｌ  ｒａｎｇｉｎｇ）、ハンドオーバーレンジング（ｈａｎｄｏｖｅｒ  ｒａｎｇｉｎｇ）、周期的レンジング（ｐｅｒｉｏｄｉｃ  ｒａｎｇｉｎｇ）及び帯域幅要請レンジング（Ｂａｎｄｗｉｄｔｈ  ｒｅｑｕｅｓｔ  ｒａｎｇｉｎｇの）４種類のモードがある。
【００５１】
初期レンジングは、最初ネットワーク進入手順を行う過程において、端末が基地局とのアップリンク通信のための伝送パラメータ（周波数オフセット、時間オフセット、伝送電力）を調整する過程を意味する。ハンドオーバーレンジングは、端末がハンドオーバー動作時に手順を簡素化するための過程を意味する。周期的レンジングは、端末がネットワーク進入手順を行った後に、基地局とのアップリンク通信を維持し続けるための過程を意味する。帯域幅要請レンジングは、端末が基地局に伝送するトラフィックが発生した時、アップリンク帯域を要請する手順で行われる過程を意味する。
【００５２】
無線通信システムにおいて、レンジングの種類によって、レンジングを行う時に使用可能なレンジングコード（又は、ｒａｎｇｉｎｇ  ｐｒｅａｍｂｌｅ）及びレンジングコードを伝送する領域（レンジングチャネル）は、ネットワークにより、システム情報を放送するチャネル（例えば、Ｂｒｏａｄｃａｓｔ  Ａｓｓｉｇｎｍｅｎｔ  Ａ−ＭＡＰ  ＩＥ）を通じて割り当てられる。例えば、端末がハンドオーバーレンジングを行うためには、ハンドオーバーレンジングのためのレンジングコードの中から特定レンジングコードを選択し、選択されたコードをハンドオーバーレンジングチャネルを介してネットワークに伝送することによってレンジングを要請する。ネットワークは、受信したレンジングコード、及びレンジングコードの伝送されたチャネルから、レンジングの種類を区別することができる。
【００５３】
ＩＥＥＥ  ８０２．１６ｍシステムでは、レンジングチャネルを、同期の取れた端末が行うレンジングのためのＳ−ＲＣＨ（ｓｙｎｃｈｒｏｎｉｚｅｄ  ｒａｎｇｉｎｇ  ｃｈａｎｎｅｌ）と、そうでない端末が行うレンジングのためのＮＳ−ＲＣＨ  （ｎｏｎ−ｓｙｎｃｈｒｏｎｉｚｅｄ  ｒａｎｇｉｎｇ  ｃｈａｎｎｅｌ）とに区別可能である。また、ＩＥＥＥ  ８０２．１６ｍシステムでは、端末の伝送するデータが発生した時、アップリンク帯域を要請するＢＲＣＨ（Ｂａｎｄｗｉｄｔｈ  ｒｅｑｕｅｓｔ  ｃｈａｎｎｅｌ）が存在する。これらのレンジングチャネル（Ｓ−ＲＣＨ、ＮＳ−ＲＣＨ）及び帯域要請チャネル（ＢＲＣＨ）は、媒体接続制御層（ＭＡＣ  ｌａｙｅｒ）でそれぞれｒａｎｇｉｎｇ  ｏｐｐｏｒｔｕｎｉｔｙとｂａｎｄｗｉｄｔｈ  ｒｅｑｕｅｓｔ  ｏｐｐｏｒｔｕｎｉｔｙの概念として用いられる。
【００５４】
一方、レンジングコード及びレンジングチャネルの割当情報が伝送される方式と当該レンジングチャネルは、基地局の形態によって区別される。
【００５５】
例えば、Ｗｉｒｅｌｅｓｓ  ＭＡＮ−ＯＦＤＭＡ  ｗｉｔｈ  ＦＤＭ−ｂａｓｅｄ  ＵＬ  ＰＵＳＣ  Ｚｏｎｅを支援する基地局、及びフェムトセルのようなカバレッジの狭い基地局については、端末と基地局との同期がずれる可能性が低いため、初期レンジング、ハンドオーバーレンジング及び周期的レンジングを行う時、いずれもＳ−ＲＣＨを使用する。
【００５６】
レンジングコード及びレンジングチャネルの割当情報は基本的に、ＳＦＨ（ＳＰ１：Ｒａｎｇｉｎｇ  Ｐａｒａｍｅｔｅｒ（ＲＰ）  ｃｏｄｅ  ｐａｒｔｉｔｉｏｎ  ｉｎｆｏｒｍａｔｉｏｎ  ｆｏｒ  ｔｈｅ  Ｓ−ＲＣＨ、Ａｌｌｏｃａｔｉｏｎ  ｐｅｒｉｏｄｉｃｉｔｙ  ｏｆ  ｔｈｅ  Ｓ−ＲＣＨ、Ｓｕｂｆｒａｍｅ  ｏｆｆｓｅｔ  ｏｆ  ｔｈｅ  Ｓ−ＲＣＨなど）を通じて伝送される。
【００５７】
その他の基地局（例、Ｍａｃｒｏ、Ｒｅｌａｙ、Ｍａｃｒｏ  ｈｏｔ−ｚｏｎｅ）については、初期レンジング及びハンドオーバーレンジングを行う時、ＮＳ−ＲＣＨが使用され、周期的レンジングでは、端末が既に同期化している場合であるから、Ｓ−ＲＣＨが使用される。
【００５８】
レンジングコード及びレンジングチャネルの割当情報は基本的に、ＳＦＨ（ＳＰ１：ＲＰ  ｃｏｄｅ  ｐａｒｔｉｔｉｏｎ  ｉｎｆｏｒｍａｔｉｏｎ  ｆｏｒ  ｔｈｅ  ＮＳ−ＲＣＨ、Ａｌｌｏｃａｔｉｏｎ  ｐｅｒｉｏｄｉｃｉｔｙ  ｏｆ  ｔｈｅ  ＮＳ−ＲＣＨ、Ｓｕｂｆｒａｍｅ  ｏｆｆｓｅｔ  ｏｆ  ｔｈｅ  ＮＳ−ＲＣＨなど）を通じて伝送される。また、ＳＦＨの他に、Ａ−ＭＡＰ又はＡＡＩ−ＳＣＤメッセージを通じてレンジングチャネルの割当情報が伝達されてもよい。Ａ−ＭＡＰが用いられる場合に、ハンドオーバーレンジングのためのＮＳ−ＲＣＨの割当情報は、基地局のスケジューリング決定によって任意の一般的な放送データの割当のために使用されたサブフレーム以外のサブフレームでＢｒｏａｄｃａｓｔ  Ａｓｓｉｇｎｍｅｎｔ  Ａ−ＭＡＰ  ＩＥ又はＡＡＩ−ＨＯ−ＣＭＤを通じて伝送されるとよい。なお、ＡＡＩ−ＳＣＤメッセージが用いられる場合は、Ｓ−ＲＣＨ割当周期及び周期的レンジングのためのレンジングコードの数などの情報が当該メッセージに含まれる。
【００５９】
図３は、無線通信システムの一例であるＩＥＥＥ  ８０２．１６ｍシステムにおいて端末が競合ベースのネットワーク再進入を行う手順を示す図である。
【００６０】
図３を参照すると、端末は、レンジングチャネルを選択し、競合ベースのレンジングコードを選択した後に、選択したレンジングチャネルを介して競合ベースのレンジングコードを基地局に伝送する（Ｓ１１０）。基地局は、当該レンジングコードを成功的に受信すると、ＡＡＩ−ＲＮＧ−ＡＣＫメッセージを放送により端末に伝送する（Ｓ１２０）。ＡＡＩ−ＲＮＧ−ＡＣＫメッセージは、レンジングチャネルでレンジングコードを成功的に受信して検出したという応答を提供するメッセージである。また、基地局は、端末がＡＡＩ−ＲＮＧ−ＲＥＱメッセージを伝送するためのアップリンクリソース割当情報であるＣＤＭＡ  ａｌｌｏｃａｔｉｏｎ  Ａ−ＭＡＰ  ＩＥをＲＡ−ＩＤ（ｒａｎｄｏｍ  ａｃｃｅｓｓ  ｉｄｅｎｔｉｆｉｅｒ）でマスキングして伝送する（Ｓ１３０）。端末は、割り当てられたアップリンクリソースを用いてＡＡＩ−ＲＮＧ−ＲＥＱメッセージを基地局に伝送し（Ｓ１４０）、基地局は、ＡＡＩ−ＲＮＧ−ＲＳＰメッセージが伝送されるダウンリンクリソース割当情報を端末に伝送する（Ｓ１５０）。この時、ダウンリンクリソース割当情報は、ＲＡ−ＩＤでマスキングされたＣＤＭＡ  ａｌｌｏｃａｔｉｏｎ  Ａ−ＭＡＰ  ＩＥ又はＢｒｏａｄｃａｓｔ  ＤＬ  ｂａｓｉｃ  ａｓｓｉｇｎｍｅｎｔ  Ａ−ＭＡＰ  ＩＥを通じて端末に伝送されるとよい。その後、端末は、当該ダウンリンクリソースを用いてＡＡＩ−ＲＮＧ−ＲＳＰメッセージを受信可能である（Ｓ１６０）。
【００６１】
図４は、無線通信システムの一例であるＩＥＥＥ  ８０２．１６ｍシステムにおいて端末が非競合ベースのネットワーク再進入を行う手順を示す図である。これは、非競合ベースのハンドオーバーレンジング（ｈａｎｄｏｖｅｒ  ｒａｎｇｉｎｇ）を取り上げて説明する。
【００６２】
図４を参照すると、サービング基地局が端末にＡＡＩ−ＨＯ−ＣＭＤメッセージを通じて専用レンジングコードを伝送する（Ｓ２１０）。端末は、割り当てられた専用レンジングコードをターゲット基地局に伝送する（Ｓ２２０）。ターゲット基地局は、当該専用レンジングコードを成功的に受信したことを、ＳＴＩＤ（ｓｔａｔｉｏｎ  ｉｄｅｎｔｉｆｉｅｒ）ベースのＡＡＩ−ＲＮＧ−ＡＣＫメッセージを通じてユニキャストで端末に知らせる（Ｓ２３０）。専用レンジングコードを受信したターゲット基地局は、当該専用レンジングコードを伝送した端末を知っている。また、ＡＡＩ−ＨＯ−ＣＭＤメッセージ内には、専用レンジングコードの他、ターゲット基地局が端末にあらかじめ割り当てたＳＴＩＤも含まれる。この場合には、当該端末が既にＳＴＩＤを獲得したから、ＲＡ−ＩＤに基づいてＡＡＩ−ＲＮＧ−ＡＣＫメッセージを伝送しなくてもよい。ターゲット基地局は、端末がＡＡＩ−ＲＮＧ−ＲＥＱメッセージを伝送するためのアップリンクリソース割当情報を、ＳＴＩＤベースのＵＬ  ｂａｓｉｃ  ａｓｓｉｇｎｍｅｎｔ  Ａ−ＭＡＰ  ＩＥを通じて端末にユニキャストで伝送する（Ｓ２４０）。端末は、割り当てられたアップリンクリソースを用いてＡＡＩ−ＲＮＧ−ＲＥＱメッセージをターゲット基地局に伝送し（Ｓ２５０）、基地局は、ＡＡＩ−ＲＮＧ−ＲＳＰメッセージが伝送されるダウンリンクリソース割当情報をＳＴＩＤベースのＤＬ  ｂａｓｉｃ  ａｓｓｉｇｎｍｅｎｔ  Ａ−ＭＡＰ  ＩＥを通じて伝送する（Ｓ２６０）。その後、端末は、割り当てられたダウンリンクリソースを通じてＡＡＩ−ＲＮＧ−ＲＳＰメッセージを受信可能である（Ｓ２７０）。
【００６３】
一方、上述した通り、非競合ベースのネットワーク再進入のためのレンジングでは、基地局が端末に、ＡＡＩ−ＨＯ−ＣＭＤメッセージ内に専用レンジングコード、及び基地局が端末にあらかじめ割り当てたＳＴＩＤを含めて伝送する。しかし、Ｍ２Ｍ機器が非競合ベースのネットワーク再進入のための非競合ベースのレンジングを行う場合には、ＲＡ−ＩＤに基づいてレンジング手順を行うから、既存のＲＡ−ＩＤに基づくその他のレンジング手順との区別が問題となる。
【００６４】
まず、ＲＡ−ＩＤについて簡単に説明する。ＲＡ−ＩＤは、総１５ビットであって、該当端末のランダムアクセス特性によって定義される。具体的に、ＲＡ−ＩＤは、５ビットのｓｕｐｅｒｆｒａｍｅ  ｎｕｍｂｅｒ、２ビットのｆｒａｍｅ＿ｉｎｄｅｘ、６ビットのｐｒｅａｍｂｌｅ  ｃｏｄｅ  ｉｎｄｅｘ  ｆｏｒ  ｒａｎｇｉｎｇ、及び２ビットのｏｐｐｏｒｔｕｎｉｔｙ  ｉｎｄｅｘ  ｆｏｒ  ｒａｎｇｉｎｇで構成される。６ビットのｐｒｅａｍｂｌｅ  ｃｏｄｅ  ｉｎｄｅｘはレンジングコードを表し、２ビットのｏｐｐｏｒｔｕｎｉｔｙ  ｉｎｄｅｘは、レンジングコードが伝送されるレンジングチャネルを指示する。具体的に、ｏｐｐｏｒｔｕｎｉｔｙ  ｉｎｄｅｘは、ＮＳ−ＲＣＨを指示する「０ｂ００」、  Ｓ−ＲＣＨを指示する「０ｂ１１」及び動的レンジングチャネル（ｄｙｎａｍｉｃ  ｒａｎｇｉｎｇ  ｃｈａｎｎｅｌ）を指示する「０ｂ０１／０ｂ１０」に設定される。すなわち、６ビットのレンジングコード、及びレンジングコードが伝送される２ビットのレンジングチャネルが、ＲＡ−ＩＤを決定する主な構成要素となる。
【００６５】
図５は、本発明の第１実施例に係るＭ２Ｍ機器が非競合ベースのネットワーク再進入を行う手順を示す図である。
【００６６】
基地局は、一つの専用識別子（ｄｅｄｉｃａｔｅｄ  ｉｄｅｎｔｉｆｉｅｒ）（例えば、一つの専用ＳＴＩＤ）を設定可能である。基地局が設定した一つの専用ＳＴＩＤは、非競合ベースのネットワーク再進入を行うＭ２Ｍ機器又はＭ２Ｍ機器同士が共に使用できるＩＤである。基地局は、設定された一つの専用ＳＴＩＤを含むＡＡＩ−ＰＡＧ−ＡＤＶメッセージをブロードキャストで伝送する（Ｓ３１０）。
【００６７】
基地局は、設定された一つの専用ＳＴＩＤでマスキングされた特定ＩＥ内にＲＡ−ＩＤ  ｌｉｓｔ／ｓｅｔに関する情報を含めて、一つのＭ２Ｍ機器又は複数のＭ２Ｍ機器に伝送する（Ｓ３２０）。ＲＡ−ＩＤ  ｌｉｓｔ／ｓｅｔに関する情報内には、専用レンジングコード及びレンジングチャネルに関する情報を含むとよい。特定ＩＥは、ＵＬ  ｂａｓｉｃ  ａｌｌｏｃａｔｉｏｎ  Ａ−ＭＡＰ  ＩＥであるか、Ｂｒｏａｄｃａｓｔ  Ａ−ＭＡＰ  ＩＥであればよい。また、ＲＡ−ＩＤ  ｌｉｓｔ／ｓｅｔに関する情報を伝送する新しいＩＥを定義してもよい。一つの専用ＳＴＩＤのＣＲＣマスキング方法については、下記の表１乃至表３を参照してより詳しく後述する。
【００６８】
Ｍ２Ｍ機器は、レンジングチャネルを選択し、レンジングコードを選択した後に、選択したレンジングチャネルを介してレンジングコードを基地局に伝送する（Ｓ３３０）。基地局は、Ｍ２Ｍ機器がＡＡＩ−ＲＮＧ−ＲＥＱメッセージを伝送するためのアップリンクリソース割当情報であるＣＤＭＡ  ａｌｌｏｃａｔｉｏｎ  Ａ−ＭＡＰ  ＩＥを、ＲＡ−ＩＤでＣＲＣマスキングして伝送する（Ｓ３４０）。Ｍ２Ｍ機器は、割り当てられたアップリンクリソースを用いてＡＡＩ−ＲＮＧ−ＲＥＱメッセージを基地局に伝送し（Ｓ３５０）、基地局は、ＡＡＩ−ＲＮＧ−ＲＳＰメッセージが伝送されるダウンリンクリソース割当情報をＭ２Ｍ機器に伝送する（Ｓ３６０）。その後、Ｍ２Ｍ機器は、当該ダウンリンクリソースを通じてＡＡＩ−ＲＮＧ−ＲＳＰメッセージを受信可能である（Ｓ３７０）。
【００６９】
一方、該当のＭ２Ｍ機器が特定ページンググループを対象とする場合、ＡＡＩ−ＰＡＧ−ＡＤＶメッセージ内のｐａｇｉｎｇ  ｇｒｏｕｐ  ＩＤに関連したフィールドに、一つの専用ＳＴＩＤを含めて伝送してもよい。また、該当のＭ２Ｍ機器が一つのＭ２Ｍグループに含まれる場合に、ＭＧＩＤ（Ｍ２Ｍ  ｇｒｏｕｐ  Ｉｄｅｎｔｉｆｉｅｒ）を一つの専用ＳＴＩＤの代わりに使用してもよい。
【００７０】
下記の表１乃至表３は、ＩＥＥＥ  ８０２．１６ｍシステムでのＣＲＣマスク（Ｍａｓｋ）を説明するための表である。ＣＲＣは、Ｍａｓｋｉｎｇ  ｐｒｅｆｉｘ  １ビット、ｔｙｐｅ  ｉｎｄｉｃａｔｏｒ  ３ビット、及びその他１２ビットで構成される。
【００７１】
【表１】
0005596883.tif 000002
表１を参照すると、Ｍａｓｋｉｎｇ  Ｐｒｅｆｉｘは１ビットであって、「０ｂ０」と「０ｂ１」に設定される。Ｍａｓｋｉｎｇ  Ｐｒｅｆｉｘが「０ｂ０」であれば、ｔｙｐｅ  ｉｎｄｉｃａｔｏｒによるマスキングコードを表す。ｔｙｐｅ  ｉｎｄｉｃａｔｏｒは「０ｂ０００」、「０ｂ００１」、「０ｂ０１０」まで定義されている。ｔｙｐｅ  ｉｎｄｉｃａｔｏｒが「０ｂ０００」であれば、１２ビットのＳＴＩＤ又はＴＳＴＩＤを表す。そして、ｔｙｐｅ  ｉｎｄｉｃａｔｏｒが「０ｂ００１」であれば、Ｔａｂｌｅ  ８４４を参照し、ｔｙｐｅ  ｉｎｄｉｃａｔｏｒが「０ｂ０１０」であれば、Ｔａｂｌｅ  ８４５を参照する。Ｔａｂｌｅ  ８４４とＴａｂｌｅ  ８４５はそれぞれ下記の表２と表３に相当する。
【００７２】
【表２】
0005596883.tif 000003
【００７３】
【表３】
0005596883.tif 000004
本発明に係る専用ＳＴＩＤのＣＲＣマスキング方法によれば、既存のＭａｓｋｉｎｇ  ｐｒｅｆｉｘが「０ｂ０」で、ｔｙｐｅ  ｉｎｄｉｃａｔｏｒが「０ｂ０００」で、ｍａｓｋｉｎｇ  ｃｏｄｅが１２ビットであるＳＴＩＤ定義をそのまま使用する。Ｍ２Ｍ機器専用のレンジングリソース割当のための、Ｂｒｏａｄｃａｓｔ  Ａｓｓｉｇｎｍｅｎｔ  Ａ−ＭＡＰ  ＩＥをＣＲＣマスキングするために用いられる値は、Ｍａｓｋｉｎｇ  ｐｒｅｆｉｘが「０ｂ０」、ｔｙｐｅ  ｉｎｄｉｃａｔｏｒが「０ｂ００１」、Ｄｅｃｉｍａｌ  ｖａｌｕｅが「１２９」又は「４０９５」と定義可能である。また、Ｍ２Ｍ機器専用のレンジングリソース割当のための、Ｂｒｏａｄｃａｓｔ  Ａｓｓｉｇｎｍｅｎｔ  Ａ−ＭＡＰ  ＩＥをマスキングするために用いられる値が、Ｍａｓｋｉｎｇ  ｐｒｅｆｉｘが「０ｂ０」、ｔｙｐｅ  ｉｎｄｉｃａｔｏｒが「０ｂ０１０」、Ｄｅｃｉｍａｌ  ｖａｌｕｅが「０」又は「４０９４」と定義されてもよい。一方、Ｂｒｏａｄｃａｓｔ  Ａｓｓｉｇｎｍｅｎｔ  Ａ−ＭＡＰ  ＩＥ内に含まれたＦｕｎｃｔｉｏｎ  ｉｎｄｅｘ「０ｂ１１」をＭ２Ｍ専用レンジングリソース割当のためのインデックスと定義し、このフィールド内にＲＡ−ＩＤ  ｌｉｓｔ／ｓｅｔに関する情報を含むように定義可能である。また、ＭＧＩＤが一つの専用ＳＴＩＤの代わりに用いられる場合にも、前述したＣＲＣマスキング方法が同様に適用されるとよい。
【００７４】
図６は、本発明の第２実施例に係るＭ２Ｍ機器が非競合ベースのネットワーク再進入を行う手順を示す図である。
【００７５】
基地局は、Ｍ２Ｍ機器専用のレンジングコード及びレンジングチャネル（ｒａｎｇｉｎｇ  ｏｐｐｏｒｔｕｎｉｔｙ）を含むＭ２Ｍ機器専用のレンジングリソースを割り当てることがある（Ｓ４１０）。この場合、Ｍ２Ｍ機器は、専用レンジングリソースを用いて非競合ベースのネットワーク再進入を行うことができる。
【００７６】
基地局は、割り当てられたＭ２Ｍ機器専用のレンジングリソースに関する情報をＭ２Ｍ機器に伝送する（Ｓ４２０）。割り当てられたＭ２Ｍ機器専用のレンジングリソースに関する情報を伝送する方法については、後でより具体的に説明する。基地局がＭ２Ｍ機器専用のレンジングリソースを割り当てらない場合は、Ｍ２Ｍ機器はＳ−ＳＦＨ  ＳＰ１  ＩＥ内に定義されたレンジングリソースを用いてネットワーク再進入のための手順を行えばよい。
【００７７】
その後、Ｍ２Ｍ機器は、割り当てられた専用レンジングリソースを用いてネットワーク再進入のためのレンジングを行う。すなわち、当該Ｍ２Ｍ機器は、割り当てられた専用レンジングコードを、割り当てられた専用レンジングチャネルで基地局に伝送する（Ｓ４３０）。基地局は、Ｍ２Ｍ機器がＡＡＩ−ＲＮＧ−ＲＥＱメッセージを伝送するためのアップリンクリソース割当情報であるＣＤＭＡ  Ａｌｌｏｃａｔｉｏｎ  Ａ−ＭＡＰ  ＩＥをＲＡ−ＩＤでマスキングして伝送する（Ｓ４４０）。
【００７８】
この時、ＣＤＭＡ  Ａｌｌｏｃａｔｉｏｎ  Ａ−ＭＡＰ  ＩＥに対してマスキングされるＲＡ−ＩＤ内のｏｐｐｏｒｔｕｎｉｔｙ  ｉｎｄｅｘは、既存の目的及び用途とは違い、「０ｂ０１」又は「０ｂ１０」のいずれか一つに設定されるとよい。設定されたｏｐｐｏｒｔｕｎｉｔｙ  ｉｎｄｅｘは、Ｍ２Ｍ機器専用のレンジングコード又はレンジングチャネルを表すｔｙｐｅ  ｉｎｄｉｃａｔｏｒとして用いられるとよい。この場合、動的レンジングチャネル（例えば、ｄｙｎａｍｉｃ  ＮＳ−ＲＣＨ）を表すｏｐｐｏｒｔｕｎｉｔｙ  ｉｎｄｅｘは別の値に設定されなければならない。例えば、Ｍ２Ｍ機器専用のレンジングコード又はレンジングチャネルを表すｏｐｐｏｒｔｕｎｉｔｙ  ｉｎｄｅｘが「０ｂ０１」に設定されると、動的レンジングチャネルは「０ｂ１０」に設定されなければならない。
【００７９】
Ｍ２Ｍ機器は、割り当てられたアップリンクリソースを用いてＡＡＩ−ＲＮＧ−ＲＥＱメッセージを基地局に伝送し（Ｓ４５０）、基地局からＡＡＩ−ＲＮＧ−ＲＳＰメッセージが伝送されるダウンリンクリソース割当情報を受信し（Ｓ４６０）、以降、ＡＡＩ−ＲＮＧ−ＲＳＰメッセージを受信可能である（Ｓ４７０）。
【００８０】
以下、割り当てられたＭ２Ｍ機器専用のレンジングリソースをいかなる方法で一つのＭ２Ｍ機器又は複数のＭ２Ｍ機器に知らせるかについて説明する。Ｈ２Ｈ機器のように、ＡＡＩ−ＨＯ−ＣＭＤメッセージを用いて、割り当てられた専用レンジングリソースに関する情報を伝送する方法を適用すると、多数のＭ２Ｍ機器のそれぞれに対してユニキャストで伝送しなければならず、オーバーヘッドの側面で好ましくない。そこで、Ｓ−ＳＦＨ、ＡＡＩ−ＳＣＤメッセージ及びＢｒｏａｄｃａｓｔ  Ａｓｓｉｇｎｍｅｎｔ  Ａ−ＭＡＰ  ＩＥなどを用いて、割り当てられた専用レンジングリソースに関する情報を放送（ｂｒｏａｄｃａｓｔ）する方法が提案される。特に、Ｓ−ＳＦＨについては、Ｓ−ＳＦＨ  ＳＰ１  ＩＥとＳ−ＳＦＨ  ＳＰ２  ＩＥ内には既存の情報のためさらに利用する空間が足りず、Ｓ−ＳＦＨ  ＳＰ３  ＩＥ内には割り当てられた専用レンジングリソースを追加に伝送する空間はあるが、全ての端末にシステム構成情報を伝送する区間であることから、Ｈ２Ｈ機器との衝突などを考慮した慎重な接近が必要である。
【００８１】
割り当てられたＭ２Ｍ機器専用のレンジングリソースを伝送する第一の方法として、ＡＡＩ−ＳＣＤメッセージを利用する方法を説明する。好ましくは、ＡＡＩ−ＳＣＤ内に、割り当てられた専用レンジングリソースに関する情報を含めて伝送し、それを制御する情報をＳ−ＳＦＨ内に含めて伝送するとよい。
【００８２】
ＡＡＩ−ＳＣＤメッセージ内にはさらに、Ｄｅｄｉｃａｔｅｄ  ｒａｎｇｉｎｇ  ｒｅｇｉｏｎ及びＤｅｄｉｃａｔｅｄ  ｒａｎｇｉｎｇ  ｃｏｄｅ  ｉｎｄｅｘ／ｓｅｔが定義されてもよい。Ｄｅｄｉｃａｔｅｄ  ｒａｎｇｉｎｇ  ｒｅｇｉｏｎは、Ｍ２Ｍ機器専用のレンジングチャネルを指示し、Ｄｅｄｉｃａｔｅｄ  ｒａｎｇｉｎｇ  ｃｏｄｅ  ｉｎｄｅｘは、Ｍ２Ｍ機器専用のレンジングコードを指示する。
【００８３】
Ｍ２Ｍ機器のためのＤｅｄｉｃａｔｅｄ  ｒａｎｇｉｎｇ  ｒｅｇｉｏｎは、周波数空間の側面で、既存に一つのサブバンド（ｓｕｂ−ｂａｎｄ）を使用していたとすれば、一つのサブバンドをさらに割り当て可能である。さらに割り当てられたサブバンドの位置は、セル特定レンジングサブバンドの直ぐ次のサブバンドのｒｅｓｏｕｒｃｅ  ｉｎｄｅｘで割り当てられてもよく、特定ｏｆｆｓｅｔ値だけ離れているサブバンドのｒｅｓｏｕｒｃｅ  ｉｎｄｅｘで割り当てられてもよい。この特定ｏｆｆｓｅｔ値は、あらかじめ決定されていてもよく、Ｓ−ＳＦＨを通じて伝送されてもよい。
【００８４】
また、時空間の側面でＭ２Ｍ機器のための専用レンジングチャネルのサブフレームインデックスを指示してもよい。この場合、フレーム当たり最大１個、動的レンジングまで考慮する場合はフレーム当たり最大２個まで支援できる環境でサブフレームをさらに割り当てるとすれば、アップリンクサブフレームが２個であるフレーム構造では適用し難い。そのため、アップリンクサブフレームが２個であるフレーム構造では専用レンジング割当を禁止してもよい。例えば、サブフレームインデックスの有効性は、専用のレンジング割当を指示する動作により決定されてもよい。
【００８５】
Ｄｅｄｉｃａｔｅｄ  ｒａｎｇｉｎｇ  ｃｏｄｅ  ｉｎｄｅｘ／ｓｅｔは、５ビットであって、最大３２個のＭ２Ｍ機器専用のレンジングコードを提供可能である。また、ＭＧＩＤをこのフィールドに追加することによって該当のＭ２Ｍ機器ごとに区別して適用してもよい。
【００８６】
一方、Ｓ−ＳＦＨとＡＡＩ−ＳＣＤメッセージの両方に専用レンジングリソース割当情報のｄｅｄｉｃａｔｅｄ  ｒａｎｇｉｎｇ  ｃｈａｎｇｅ  ｃｏｕｎｔ  ｆｉｅｌｄを含めて伝送することによって、専用レンジングリソース割当情報が更新される場合に、Ｈ２Ｈ機器及び関連のないＭ２Ｍ機器が余計に当該情報をデコーディングすることを防止することができる。
【００８７】
割り当てられたＭ２Ｍ機器専用のレンジングリソースを伝送する第二の方法として、Ｂｒｏａｄｃａｓｔ  ａｓｓｉｇｎｍｅｎｔ  Ａ−ＭＡＰ  ＩＥを利用する方法を説明する。Ｂｒｏａｄｃａｓｔ  ａｓｓｉｇｎｍｅｎｔ  Ａ−ＭＡＰ  ＩＥ内には、Ｎｕｍｂｅｒ  ｏｆ  Ｒａｎｇｉｎｇ  Ｏｐｐｏｒｔｕｎｉｔｉｅｓフィールド、ｓｕｂｆｒａｍｅ  ｉｎｄｅｘフィールド及びＲａｎｇｉｎｇ  ｏｐｐｏｒｔｕｎｉｔｙ  ｉｎｄｅｘフィールドを含む。これらを用いて専用レンジングチャネル及び専用レンジングコードに関する情報を提供することができる。
【００８８】
一方、Ｂｒｏａｄｃａｓｔ  ａｓｓｉｇｎｍｅｎｔ  Ａ−ＭＡＰ  ＩＥ内にはＦｕｎｃｔｉｏｎ  Ｉｎｄｅｘフィールドを含む。このＦｕｎｃｔｉｏｎ  Ｉｎｄｅｘは、Ｂｒｏａｄｃａｓｔ  ａｓｓｉｇｎｍｅｎｔ  Ａ−ＭＡＰ  ＩＥがどのような情報を伝達するかを表す情報である。具体的には、Ｆｕｎｃｔｉｏｎ  Ｉｎｄｅｘが「０ｂ００」であれば、Ｂｒｏａｄｃａｓｔ  ａｓｓｉｇｎｍｅｎｔ  Ａ−ＭＡＰ  ＩＥがｂｒｏａｄｃａｓｔ  ａｓｓｉｇｎｍｅｎｔ  ｉｎｆｏｒｍａｔｉｏｎを伝達することを指示し、「０ｂ０１」であれば、ｈａｎｄｏｖｅｒ  ｒａｎｇｉｎｇ  ｃｈａｎｎｅｌ  ａｌｌｏｃａｔｉｏｎ  ｉｎｆｏｒｍａｔｉｏｎを伝達することを指示する。また、「０ｂ１０」であれば、ｍｕｌｔｉｃａｓｔ  ａｓｓｉｇｎｍｅｎｔ  ｉｎｆｏｒｍａｔｉｏｎを伝達することを指示し、「０ｂ１１」はｒｅｓｅｒｖｅｄを指示する。このとき、Ｆｕｎｃｔｉｏｎ  Ｉｎｄｅｘが「０ｂ０１」であれば、２種類のｒａｎｇｉｎｇ  ｏｐｐｏｒｔｕｎｉｔｙ  ｉｎｄｅｘであって、ハンドオーバーのための動的レンジングチャネルを指示するようになる。したがって、これらのインデックスのいずれかをＭ２Ｍ機器専用のレンジングリソース割当のために使用すればよい。
【００８９】
また、Ｆｕｎｃｔｉｏｎ  Ｉｎｄｅｘにおいてｒｅｓｅｒｖｅｄを指示する「０ｂ１１」を、Ｍ２Ｍ機器専用のレンジングを指示するように定義してもよい。そのため、Ｆｕｎｃｔｉｏｎ  Ｉｎｄｅｘが「０ｂ１１」を指示すると、そのフィールド内でＭ２Ｍ機器専用のレンジングリソース割当情報が伝送さればよい（例えば、サブフレームインデックス、レンジングチャネルインデックス及びレンジングコードインデックス）。
【００９０】
割り当てられたＭ２Ｍ機器専用のレンジングリソースを伝送する本発明の第三の方法として、Ｍ２Ｍ機器のみが受信してデコーディングできるＭ２Ｍ機器専用のＢｒｏａｄｃａｓｔ  Ａｓｓｉｇｎｍｅｎｔ  Ａ−ＭＡＰ  ＩＥを定義する方法について説明する。そのために、Ｍ２Ｍ機器専用のＢｒｏａｄｃａｓｔ  Ａｓｓｉｇｎｍｅｎｔ  Ａ−ＭＡＰ  ＩＥは、ＭＧＩＤ又はＭ２Ｍ機器専用のＳＴＩＤでＣＲＣマスキングされて伝送されればよい。これにより、Ｈ２Ｈ機器及び関連のないＭ２Ｍ機器が当該Ｍ２Ｍ機器専用のＢｒｏａｄｃａｓｔ  Ａｓｓｉｇｎｍｅｎｔ  Ａ−ＭＡＰ  ＩＥをデコーディングすることを防止することができる。
【００９１】
一方、Ｍ２Ｍ機器専用のＢｒｏａｄｃａｓｔ  Ａ−ＭＡＰ  ＩＥを常にデコーディングすることは、低い電力消費が要求されるＭ２Ｍ機器には負担となることがある。そのため、上で提案したＳ−ＳＦＨ  ＳＰ３  ＩＥ内にＭ２Ｍ  ｄｅｄｉｃａｔｅｄ  ｒａｎｇｉｎｇ  ｉｎｄｉｃａｔｏｒ  ｆｉｅｌｄを通じて、このフィールドがＭ２Ｍ機器専用のレンジングを指示する場合に限って、Ｍ２Ｍ機器がＭ２Ｍ機器専用のＢｒｏａｄｃａｓｔ  Ａｓｓｉｇｎｍｅｎｔ  Ａ−ＭＡＰ  ＩＥをデコーディングするように設定してもよい。この場合、Ｍ２Ｍ機器専用のＢｒｏａｄｃａｓｔ  Ａｓｓｉｇｎｍｅｎｔ  Ａ−ＭＡＰ  ＩＥが伝送される位置（例えば、フレーム及びサブフレーム）は、あらかじめ決定された位置にしてもよく、Ｓ−ＳＦＨ  ＳＰ３  ＩＥを通じて伝送されてもよい。
【００９２】
以下、Ｍ２Ｍ機器が競合ベースのネットワーク進入を行うか、非競合ベースのネットワーク進入を行うかを選択する方法が提案される。これは、必ずしも非競合ベースのネットワーク進入がＭ２Ｍ機器に有利であるとは限らないからである。したがって、Ｍ２Ｍ機器に対して専用のレンジングリソースと共用のレンジングリソースの中から、ディレー（ｄｅｌａｙ）が少ないか、レイテンシー（ｌａｔｅｎｃｙ）が短いリソースを選択できる方法が提案される。
【００９３】
基本的に、Ｍ２Ｍ機器専用のレンジングリソースに関する情報がＡＡＩ−ＳＣＤメッセージを通じて伝送されると仮定して説明する。しかし、本発明はこれに制限されない。無線通信システムの環境によって、Ｈ２Ｈ機器に競合ベースのレンジングリソースを多く割り当てるべき場合には、Ｍ２Ｍ機器に非競合ベースのレンジングリソースを相対的に多く割り当てればよい。逆に、Ｈ２Ｈ機器に非競合ベースのレンジングリソースを多く割り当てるべき場合には、Ｍ２Ｍ機器に競合ベースのレンジングリソースを相対的に多く割り当てればよい。
【００９４】
各環境によって、Ｍ２Ｍ機器に競合ベースのレンジングリソースを多く割り当てるべき場合と非競合ベースのレンジングリソースを多く割り当てるべき場合に、それを誘導できるように特定指示子を定義することによって、制限されたリソースを效率的に利用することができる。
【００９５】
第一の例として、Ｓ−ＳＦＨ  ＳＰ  ＩＥ内にＭ２Ｍ専用レンジング指示子（Ｍ２Ｍ  ｄｅｄｉｃａｔｅｄ  ｒａｎｇｉｎｇ  ｉｎｄｉｃａｔｏｒ）を用いて、「０ｂ０」であれば、非競合ベースのレンジングを許容し、「０ｂ１」であれば、競合ベースのレンジングのみを許容するように構成可能である。この場合、「０ｂ０」は非競合ベースのレンジングを許容するという意味で、非競合ベースのレンジング、競合ベースのレンジング両方とも適用可能であることを指示できる。この場合、非競合ベースのレンジングのみを許容するようにＭ２Ｍ共用レンジング許容指示子（Ｍ２Ｍ  ｓｈａｒｅｄ  ｒａｎｇｉｎｇ  ａｌｌｏｗａｎｃｅ  ｉｎｄｉｃａｔｏｒ）をさらに定義し、「０ｂ０」は競合ベースのレンジングを許容することを、「０ｂ１」は非競合ベースのレンジングのみを許容することを指示するようにしてもよい。
【００９６】
また、逆に、Ｍ２Ｍ専用レンジング指示子（Ｍ２Ｍ  ｄｅｄｉｃａｔｅｄ  ｒａｎｇｉｎｇ  ｉｎｄｉｃａｔｏｒ）が「０ｂ０」であれば、競合ベースのレンジングを許容し、「０ｂ１」であれば、非競合ベースのレンジングのみを許容するように構成してもよい。「０ｂ０」は、競合ベースのレンジングを許容するという意味で、競合ベースのレンジング、非競合ベースのレンジングの両方とも適用可能であることを指示できる。このとき、競合ベースのレンジングのみを許容するようにＭ２Ｍ  ｄｅｄｉｃａｔｅｄ  ｒａｎｇｉｎｇ  ａｌｌｏｗａｎｃｅ  ｉｎｄｉｃａｔｏｒをさらに定義し、「０ｂ０」は非競合ベースのレンジングを許容することを、「０ｂ１」は競合ベースのレンジングのみを許容することを指示するようにしてもよい。
【００９７】
第二の例として、Ｍ２Ｍ専用レンジング指示子（Ｍ２Ｍ  ｄｅｄｉｃａｔｅｄ  ｒａｎｇｉｎｇ  ｉｎｄｉｃａｔｏｒ）を２ビットに設定し、上記第一の例における全ての場合を定義してもよい。例えば、「０ｂ００」は競合ベースのレンジングを、「０ｂ０１」は非競合ベースのレンジングを、「０ｂ１０」は競合ベースのレンジングと非競合ベースのレンジングの両方を許容し、「０ｂ１１」は、Ｍ２Ｍ機器のネットワーク進入／再進入を許容しないものと定義してもよい。
【００９８】
第三の例として、ＡＡＩ−ＳＣＤメッセージ内に含まれる５ビットのｄｅｄｉｃａｔｅｄ  ｒａｎｇｉｎｇ  ｃｏｄｅ  ｉｎｄｅｘ／ｓｅｔに該当の情報、すなわち、競合ベースのレンジングのみを許容するか、非競合ベースのレンジングのみを許容するかに関する情報をさらに定義してもよい。
【００９９】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更可能である。ある実施例の一部構成や特徴は、別の実施例に含まれることもでき、別の実施例の対応する構成又は特徴に取って代わることもできる。特許請求の範囲において明示的な引用関係にない請求項を結合して実施例を構成したり、出願後の補正により新しい請求項として含めたりすることができることは明らかである。
【０１００】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。
【産業上の利用可能性】
【０１０１】
Ｍ２Ｍ機器がネットワーク再進入を行う方法は、３ＧＰＰ  ＬＴＥ−Ａ、ＩＥＥＥ  ８０２などの多様な無線通信システムにおいて利用可能である
【図１】
0005596883.tif 000005
【図２】
0005596883.tif 000006
【図３】
0005596883.tif 000007
【図４】
0005596883.tif 000008
【図５】
0005596883.tif 000009
【図６】
0005596883.tif 000010